(57)【要約】【課題】より簡便に、芋類の形状や重さを揃えやすい芋類の栽培用具を提供し、さらに、芋類の形状や重さを揃えやすい栽培方法を提供する。【解決手段】  本発明の栽培用具は、細孔が形成された第一の容器と、この第一の容器に細孔を介して接続される第二の容器と、を有するものとする。また、本発明の栽培方法は、細孔が形成された第一の容器と、細孔に接続される第二の容器と、を有する芋類の栽培用具を用いる芋類の栽培方法であって、芋類の栽培用具の第一の容器及び第二の容器に土を充填しつつ芋類の栽培用具を土中に埋設するとともに第一の容器に種芋を植え付けて、種芋及び前記零余子の少なくともいずれかを成長させるものである。【選択図】図１
2019110768.tif 000002
【特許請求の範囲】
【請求項１】
細孔が形成された第一の容器と、前記第一の容器に前記細孔を介して接続される第二の容器と、を有する芋類の栽培用具。
【請求項２】
前記第二の容器は、筒状である請求項１記載の芋類の栽培用具。
【請求項３】
前記第一の容器と前記第二の容器は着脱可能である請求項１記載の芋類の栽培用具。
【請求項４】
前記第二の容器は開閉可能となっている請求項１記載の芋類の栽培用具。
【請求項５】
細孔が形成された第一の容器と、前記細孔に接続される第二の容器と、を有する芋類の栽培用具を用いる芋類の栽培方法であって、
前記芋類の栽培用具の前記第一の容器及び前記第二の容器に土を充填しつつ前記芋類の栽培用具を土中に埋設するとともに前記第一の容器に種芋を植え付けて、前記種芋を成長させる、芋類の栽培方法。
【発明の詳細な説明】
【技術分野】
【０００１】
本発明は芋類の栽培用具及び芋類の栽培方法に関し、より具体的には、ヤマノイモ科に属する芋類の栽培に適する栽培用具及び栽培方法に関する。
【背景技術】
【０００２】
大和芋や長芋等のヤマノイモ科の芋類（以下単に「芋類」という。）は、一般に消化酵素等の有用な成分を多く含み、しかも熱を加えることなく生で食することができるため、非常に有用な食材といえる。
【０００３】
しかしながら、芋類の栽培において、所望の形状および所望の大きさにそろえて栽培することは容易ではない。
【０００４】
この課題に対し、例えば、下記特許文献１には、長芋等の長根作物栽培方法が開示されている。
【先行技術文献】
【特許文献】
【０００５】
【特許文献１】特開平６−２２６４１号公報
【発明の概要】
【発明が解決しようとする課題】
【０００６】
しかしながら、上記特許文献１に記載の方法であっても、長芋等の形状や重さを揃えるにはまだ課題が残る。また、装置も大掛かりなものが必要となるため、労力も大きい。
【０００７】
そこで、本発明は、上記課題に鑑み、より簡便に、芋類の形状や重さを揃えやすい芋類の栽培用具及び栽培方法を提供することを目的とする。
【課題を解決するための手段】
【０００８】
上記課題を解決する本発明の一観点に係る芋類の栽培用具は、細孔部が形成された第一の容器と、第一の容器に細孔部を介して接続される第二の容器と、を有する。
【０００９】
また、本発明の他の一観点に係る芋類の栽培方法は、細孔が形成された第一の容器と、細孔に接続される第二の容器と、を有する芋類の栽培用具を用いるものであって、芋類の栽培用具の第一の容器及第二の容器に土を充填しつつ芋類の栽培用具を土中に埋設するとともに第一の容器に種芋を植え付けて、種芋を成長させるものである。
【発明の効果】
【００１０】
以上本発明によって、より簡便に、芋類の形状や重さを揃えやすい芋類の栽培用具及び栽培方法を提供することができる。
【図面の簡単な説明】
【００１１】
【図１】実施形態に係る芋類の栽培用具の概略斜視図である。
【図２】実施形態に係る芋類の栽培用具の概略断面図である。
【図３】実施形態に係る芋類の栽培用具の第二の容器の一例を示す図である。
【図４】実施形態に係る芋類の栽培用具を用いる栽培方法の概念図である。
【図５】実施例に係る芋類の栽培用具の例を示す図である。
【図６】実施例において得られる芋の図である。
【発明を実施するための最良の形態】
【００１２】
以下、本発明の実施形態について図面を用いて詳細に説明する。ただし、本発明は多くの異なる形態による実施が可能であり、以下に示す実施形態及び実施例に記載した具体的な例示にのみ限定されるわけではない。
【００１３】
図１は、本実施形態に係る芋類の栽培用具（以下「本栽培用具」という。）の概略を示す図であり、図２は、この断面図である。本図で示すように、本栽培用具１は、細孔２１が形成された第一の容器２と、第一の容器２に細孔２１を介して接続される第二の容器３と、を有するものである。
【００１４】
本栽培用具が栽培する芋類としては、上記の通り、地中に長く根を張るヤマノイモ科の芋類であることが好ましく、具体的にはヤマノイモ、ジネンジョ、ダイジョを例示でき、更にヤマノイモの場合は、長芋、大和芋、捏芋等を例示することができるがこれに限定されない。
【００１５】
本栽培用具において第一の容器２は、具体的には種芋や零余子（以下「種芋等」という。）を植える箇所となる容器である。具体的には、この第一の容器２に土を充填させるとともに、上記種芋等の種芋や零余子等を植えつける。
【００１６】
また本栽培用具１において第一の容器２は、一方が開放口となっており、底部に細孔が形成されている。この細孔２１の機能については後述の記載からも明らかであるが、成長した芋類がこの細孔２１を通過してさらに成長していくことで、くびれた部分を形成しながら第二の容器の形状に合わせることができるようになる。もちろん、この細孔２１の部分にも土を充填しておくことが好ましい。
【００１７】
また本栽培用具１において、この細孔の形状としては、限定されるわけではないが、円形状であることが好ましく、細孔が円形状である場合の直径は、限定されるわけではないが１ｃｍ以上３ｃｍ以下であることが好ましい。この範囲とすることで、芋類のくびれ部分を補足し、このくびれ部分で芋を切断することで、切断面をきれいかつ小さくして劣化を防止し、より商品価値の低下を防止することができるようになる。また、細孔の長さとしては、限定されるわけではないが、１ｃｍ以上５ｃｍ以下であることが好ましく、より好ましくは３ｃｍ以下である。
【００１８】
また上記の記載から明らかなように、第一の容器は、種芋等の部分が、根を張ることができる程度に成長できるよう、細孔部に比べて十分な程度の広さ及び深さを備えた容器であることが好ましい。限定されるわけではないが、深さとしては５ｃｍ以上３０ｃｍ以下であることが好ましく、より好ましくは２０ｃｍ以下である。また、幅としても、限定されるわけではないが、５ｃｍ以上２０ｃｍ以下の範囲であることが好ましい。なお、第一の容器の形状としても限定されるわけではないが、主要部分が円筒形状であって、細孔部２１につながる底部２２を備えていることが強度や扱いやすさ等の観点から好ましい。円筒形状の場合、直径が５ｃｍ以上２０ｃｍ以下の空間となっていることが好ましい。なお、第一の容器の底部は、細孔が中心近傍に形成された平坦面であってもよく、周囲から中心近傍の細孔に近づくに従い深く傾斜しているいわゆるすり鉢状であってもよい。
【００１９】
また、本栽培用具１において第二の容器３は、上記の記載から明らかなように、食用部となる長芋類の根部が成長しながら収容されていく容器である。すなわち、芋類は、第一の容器において成長しつつ、根は細孔部を通過し、更に第二の容器内において成長していく、そして第二の容器内において、第二の容器の形状に合った形状となる。すなわち、商品としてより安定した形状、大きさを確保することができる。特に、芋類は第二の容器を十分に充填する程度成長した後も成長することができるがこの場合は、第一の容器において再び成長することになるため、第二の容器部分の形状は安定的である。すなわち、育ちすぎることにより形状が崩れてしまう虞を格段に少なくすることができる。また、第二の容器３においても、栽培時において土が充填されていることが好ましい。
【００２０】
また、第二の容器３の底部には、芋が成長して飛び出てしまわない程度の水抜き用の小孔が形成されていることも好ましい。このようにすることで、安定的な芋類の成長が可能となる。この小孔の大きさは特に限定されるわけではないが直径１ｍｍ以上５ｍｍ以下であることが好ましい。
【００２１】
また、第一の容器、第二の容器の何れにおいても、芋類を安定的に栽培し、安定的に取り出すことができる限りにおいて材質は特に限定されず、例えばステンレス等の金属、プラスチック等を例示することができる。
【００２２】
また、本栽培用具１において、第二の容器の形状も、特に限定されるわけではないが、円筒状であることが好ましい。筒状とすることで、生産者としては第二の容器から取り出しやすく、販売者等としては流通経路に乗せやすい形状となり扱いやすいものとなり、商品購入者としては芋類の形状が調理しやすいものとなる。またこの場合において、第二の容器の大きさとしても特に限定されず、深さとして５ｃｍ以上２５ｃｍ以下であることが好ましく、幅としては５ｃｍ以上２０ｃｍ以下であることが好ましく、更に好ましくは１５ｃｍ以下である。また、第二の容器の形状が、断面が円形状で下部に行くに従いその径が太くなっている末広がりの略円錐体となっていることも好ましい。このようにすることで、芋を下部から取り出しやすくなる。
【００２３】
また、本栽培用具１において第一の容器２と第二の容器は着脱可能であることが好ましい。この構成については実現できる限りにおいて限定されるわけではないが、第一の容器に細孔部が突出するように形成され、これに第二の容器が着脱できるように組み合わされていることが好ましい。より具体的には、細孔部２１の周囲に螺子溝（外溝）が形成され、第二の容器の先端開口部にこの螺子溝に対応した螺子溝（内溝）が形成され、これら螺子溝を嵌め合わせることで二つを固定することができ、一方、反対に回すことで第一の容器と第二の容器を分離させることができるようになる。特に、第二の容器内に成長した芋類が入っている場合、第二の容器を捻ることでこの細孔部において芋類の切り口を形成することができる。もちろん、細孔部２１の内周面に螺子溝（内溝）を形成し、第二の容器の先端開口部の外周囲に螺子溝（外溝）を形成し、第二の容器をねじ込むように組み合わせる構成としてもよい。
【００２４】
ところで、本栽培用具１において第二の容器は、限定されるわけではないが、側部において開閉可能となっていることが好ましい。具体的に説明すると、第二の容器から芋類を傷つける異なる安定的に取り出すには、開閉機構を備えて開閉可能となっていることが好ましい。この場合のイメージを図３に示しておく。このように、開閉可能な構造を備えることで、成長した芋類を傷つけることなく取り出すことが可能となる。またもちろん、側部が開閉可能となっていること、具体的には底部が蓋となっていることも好ましい、このようにすることでより取り出しやすくなる。特に第二の容器が筒形状、末広がりの錐体形状であればこの効果がより顕著となる。
【００２５】
ここで、上記芋類の栽培用具を用いた芋類の栽培方法（以下「本方法」という。）について説明する。本方法は、上記のとおり、細孔が形成された第一の容器と、細孔に接続される第二の容器と、を有する芋類の栽培用具を用いる芋類の栽培方法であって、芋類の栽培用具の第一の容器及び第二の容器に土を充填するとともに第一の容器に種芋及び零余子の少なくともいずれか（以下「種芋等」という。）を植え付けて、芋類の栽培用具を土中に埋設する。このイメージを図４に示しておく。
【００２６】
すると、まず種芋等が第一の容器内において成長する。しかし、種芋等の根は第一の容器の側面及び細孔以外の底部に接触しこれ以上これらの方向には延びることができない。ところが、本栽培用具では細孔が形成されているため、根は細孔を経由して更に下部に成長してくこととなる。これは芋類の習性によるものである。そして、芋類はさらに成長し、第二の容器内において、第二の容器の形状に沿って成長する。
【００２７】
そして、十分に成長したころを見計らい、本栽培容器ごと土から出し、第二の容器を第一の容器から分離し、収穫する。特にこの際、第一の容器と第二の容器は細孔部において分離されることとなると、細孔部の芋類のくびれ部が断面となるため、切断面は小さくなり、品質低下を極力抑えることができるようになる。
【００２８】
以上、本栽培用具は、より簡便に、芋類の形状や重さを揃えやすい芋類の栽培用具となり、芋類の形状や重さを揃えやすい栽培方法となる。
【００２９】
なお、本栽培用具において、第二の容器はある程度の硬さを備えた材質で構成されている例を示しているが、第二の容器はこれに限定されず、例えばシート状の部材を組み合わせた袋状となったものであってもよい。一度細孔を経由した芋類はそのまま地中深く細長く成長する傾向があり、袋状となっていてもある程度細長形状を維持することが可能となる。
【実施例】
【００３０】
ここで、実際に芋類の栽培を行い、その効果を確認した。以下具体的に説明する。
【００３１】
まず、直径約１０ｃｍ、深さ約１５ｃｍの底部を備えた円筒状の容器の当該底部に、直径約２ｃｍの細孔を形成し、この細孔に、第二の容器の先端を嵌め合わせることで一体化した。なお第二の容器の形状も円筒形状であって、その幅は約５ｃｍ、深さは約１０ｃｍとした。
【００３２】
そして、この栽培用具に土を充填しつつ上端が地表から５ｃｍほど下となるよう埋め、第一の容器部分に大和芋の種芋を植え、肥料及び水を適量与え、約４月間栽培し、その後掘り起こした。
【００３３】
この結果の大和芋について図５、６に示しておく。この結果、通常の大和芋では丸く形成されてしまうものであるにもかかわらず、十分に長細い大和芋を栽培することができた。特に、本実施例の大和芋はくびれ部分で切断されているためその切断面が小さく、より長持ちする状態であることが確認できた。
【００３４】
以上、本発明の効果について確認できた。
【産業上の利用可能性】
【００３５】
本発明は、芋類の栽培用具及び芋類の栽培方法として産業上の利用可能性がある。
【図１】
2019110768.tif 000003
【図２】
2019110768.tif 000004
【図３】
2019110768.tif 000005
【図４】
2019110768.tif 000006
【図５】
2019110768.tif 000007
【図６】
2019110768.tif 000008